(57)【要約】【課題】吸引パイプを簡単な構造としながら、多数の中空フィルターシートを狭い間隔で積層して濾過面積を大きくする。【解決手段】濾過装置は、吸引パイプ３を介して、複数枚の中空フィルターシート１の中空部１０を吸引して、中空フィルターシート１に液体を透過させて濾過する。吸引パイプ３は、軸方向に伸びるスリット状の吸引穴４を貫通して設けている。各々の中空フィルターシート１は、吸引パイプ３を挿通する貫通孔２を設けており、貫通孔２に吸引パイプ３を挿通して、複数枚の中空フィルターシート１を積層状態に吸引パイプ３に連結している。吸引パイプ３に挿通して積層している中空フィルターシート１の間には、リング状パッキン５を挟着している。リング状パッキン５は、中空フィルターシート１と吸引パイプ３との隙間を水密構造に密閉し、かつ、隣接する中空フィルターシート１の間に開口される吸引パイプ３の吸引穴４を水密状態に閉塞している。【選択図】図７
2010029818.tif 000002
【特許請求の範囲】
【請求項１】
２枚の濾材(11)が積層されて外周縁を連結してなる複数枚の中空フィルターシート(1)と、複数枚の中空フィルターシート(1)を貫通して中空フィルターシート(1)の中空部(10)に連結してなる吸引パイプ(3)とを備え、
前記吸引パイプ(3)を介して、中空フィルターシート(1)の中空部(10)を吸引して、中空フィルターシート(1)に外側から内側に液体を透過させて濾過する濾過装置であって、
前記吸引パイプ(3)が、軸方向に伸びるスリット状の吸引穴(4)を貫通して設けており、複数枚の中空フィルターシート(1)は吸引パイプ(3)を挿通する貫通孔(2)を有し、貫通孔(2)に吸引パイプ(3)が挿通されて、複数枚の中空フィルターシート(1)を積層状態に吸引パイプ(3)に連結しており、さらに、吸引パイプ(3)に挿通して積層してなる中空フィルターシート(1)の間に、吸引パイプ(3)に挿通される内形であって、中空フィルターシート(1)の貫通孔(2)の内形よりも大きな外形のリング状パッキン(5)を挟着して、このリング状パッキン(5)でもって、中空フィルターシート(1)と吸引パイプ(3)との隙間を水密構造に密閉し、かつこのリング状パッキン(5)でもって、隣接する中空フィルターシート(1)の間に開口される吸引パイプ(3)の吸引穴(4)を水密状態に閉塞してなる濾過装置。
【請求項２】
２枚の濾材(11)が積層されて外周縁を連結してなる複数枚の中空フィルターシート(1)と、複数枚の中空フィルターシート(1)を貫通して中空フィルターシート(1)の中空部(10)に連結してなる吸引パイプ(3)とを備え、
前記吸引パイプ(3)を介して、中空フィルターシート(1)の中空部(10)を吸引して、中空フィルターシート(1)に外側から内側に液体を透過させて濾過する濾過装置であって、
前記吸引パイプ(3)が、軸方向に離して複数の吸引穴(4)を貫通して設けており、複数枚の中空フィルターシート(1)は吸引パイプ(3)を挿通する貫通孔(2)を有し、貫通孔(2)に吸引パイプ(3)が挿通されて、複数枚の中空フィルターシート(1)を積層状態に吸引パイプ(3)に連結しており、さらに、吸引パイプ(3)に挿通して積層してなる中空フィルターシート(1)の間に、吸引パイプ(3)に挿通される内形であって、中空フィルターシート(1)の貫通孔(2)の内形よりも大きな外形のリング状パッキン(5)を挟着して、このリング状パッキン(5)でもって、中空フィルターシート(1)と吸引パイプ(3)との隙間を水密状態に密閉し、かつこのリング状パッキン(5)でもって、隣接する中空フィルターシート(1)の間に開口される吸引パイプ(3)の吸引穴(4)を水密状態に密閉してなる濾過装置。
【請求項３】
前記中空フィルターシート(1)が、２枚の濾材(11)の間に網材(12)を挟着して内部に中空部(10)を設けている請求項１又は２に記載される濾過装置。
【請求項４】
前記リング状パッキン(5)がＯリング(13)である請求項１又は２に記載される濾過装置。
【請求項５】
隣接する中空フィルターシート(1)の間に複数のリング状パッキン(5)を設けて、リング状パッキン(5)の間にリング状のスペーサ(6)を挟着している請求項１又は２に記載される濾過装置。
【請求項６】
前記吸引パイプ(3)の両端部に挟着プレート(7)を有し、この挟着プレート(7)を連結具(8)で連結して、積層状態の中空フィルターシート(1)を挟着している請求項１又は２に記載される濾過装置。
【発明の詳細な説明】
【技術分野】
【０００１】
本発明は、複数の中空フィルターシートを積層して濾過面積を大きくしてなる濾過装置に関する。
【背景技術】
【０００２】
複数の中空フィルターシートを積層状態に配置して、中空フィルターシートに設けた貫通孔に吸引パイプに挿通して、吸引パイプから中空フィルターシートに透過させた液体を吸引する濾過装置は開発されている。（特許文献１参照）
【特許文献１】ＷＯ２００６／０４５４４０
【発明の開示】
【発明が解決しようとする課題】
【０００３】
特許文献１に記載される濾過装置は、図１に示すように、中空フィルターシート９１から液体を吸入する吸引パイプ９３を複数の連結パイプ９４で構成している。連結パイプ９４は、端部に細筒部９４Ａと段差面９４Ｂを設けて、細筒部９４Ａを中空フィルターシート９１の貫通孔９２に挿入し、段差面９４Ｂを中空フィルターシート９１の貫通孔９２の外周面に密着させて、中空フィルターシート９１を透過した液体を吸入する構造としている。この構造の濾過装置は、複数の連結パイプ９４を中空フィルターシート９１の間に挟着するように配設して、吸引パイプ９３を構成するので、吸引パイプ９３が中空フィルターシート９１の間で切り離された構造となる。この構造の濾過装置は、組み立てに極めて手間がかかる欠点がある。とくに、多数に分離された連結パイプ９４の段差面９４Ｂを中空フィルターシート９１の表面に密着して水密構造とすることから、完全な水密構造を実現しながらの組み立てに極めて手間がかかる欠点がある。それは、多数に積層される中空フィルターシートの間に連結パイプを配置しながら組み立てるからである。
【０００４】
本発明は、この欠点を解決することを目的に開発されたものである。本発明の重要な目的は、吸引パイプを連続するパイプとして簡単な構造としながら、簡単かつ容易に、しかも能率よく組み立てして、吸引パイプと中空フィルターシートとを理想的な水密状態に連結できる濾過装置を提供することにある。
【課題を解決するための手段及び発明の効果】
【０００５】
本発明の濾過装置は、２枚の濾材１１を積層して外周縁を連結してなる複数枚の中空フィルターシート１と、複数枚の中空フィルターシート１を貫通して中空フィルターシート１の中空部１０に連結している吸引パイプ３とを備える。この濾過装置は、吸引パイプ３を介して、中空フィルターシート１の中空部１０を吸引して、中空フィルターシート１に外側から内側に液体を透過させて濾過する。さらに、この濾過装置は、吸引パイプ３に、軸方向に伸びるスリット状の吸引穴４を貫通して設け、あるいは軸方向に離して複数の吸引穴４を貫通して設けている。また、各々の中空フィルターシート１には、吸引パイプ３を挿通する貫通孔２を設けており、貫通孔２に吸引パイプ３を挿通して、複数枚の中空フィルターシート１を積層状態に吸引パイプ３に連結している。さらにまた、吸引パイプ３に挿通して積層している中空フィルターシート１の間には、吸引パイプ３に挿通される内形であって、中空フィルターシート１の貫通孔２の内形よりも大きな外形のリング状パッキン５を挟着している。このリング状パッキン５は、中空フィルターシート１と吸引パイプ３との隙間を水密構造に密閉し、かつ、隣接する中空フィルターシート１の間に開口される吸引パイプ３の吸引穴４を水密状態に閉塞している。
【０００６】
以上の濾過装置は、吸引パイプを簡単な構造としながら、簡単かつ容易に、しかも能率よく組み立てして、吸引パイプと中空フィルターシートとを理想的な水密状態に連結できる特徴がある。とくに、本発明の濾過装置は、隣接する中空フィルターシートの間で、吸引パイプから外部に開口される吸引穴を、中空フィルターシートの間に挟着しているリング状パッキンで水密状態に密閉できる。この構造は、吸引パイプに中空フィルターシートとリング状パッキンとを交互に積層するように挿通して、その両側を挟着することで、中空フィルターシートの中空部を吸引穴を介して吸引パイプに連結し、しかも、隣接する中空フィルターシートの間では、リング状パッキンでもって吸引穴の外側を水密状態に密閉できる。このため、吸引パイプに挿通して積層される中空フィルターシートの位置が吸引パイプの軸方向にずれても、全ての中空フィルターシートは吸引パイプに水密状態に連結され、かつ、中空フィルターシートの間では、吸引パイプの開口部をリング状パッキンで水密状態に密閉できる。また、吸引パイプには、中空フィルターシートの位置に合わせて吸引穴を開口する必要がなく、細長いスリット状の吸引穴を開口し、あるいは軸方向に離して複数の吸引穴を設けて、各々の中空フィルターシートを吸引パイプに連結できる。
【０００７】
本発明の請求項３の濾過装置は、中空フィルターシート１が、２枚の濾材１の間に網材１２を挟着して内部に中空部１０を設けている。
この構造の濾過装置は、中空フィルターシートを薄くしながら、内部に中空部を設けることができる。
【０００８】
本発明の請求項４の濾過装置は、リング状パッキン５をＯリング１３としている。
この構造は、Ｏリングが隣接する中空フィルターシートの間に挟着されて、吸引パイプに開口している吸引穴が中空フィルターシートの間で外部に開口するのを防止できる。したがって、極めて簡単な構造で、中空フィルターシートを吸引パイプに連結しながら、中空フィルターシートの間で吸引穴が外部に開口するのを確実に阻止できる。
【０００９】
本発明の請求項５の濾過装置は、隣接する中空フィルターシート１の間に複数のリング状パッキン５を設けて、リング状パッキン５の間にリング状のスペーサ６を挟着している。
この構造は、リング状パッキンに挟着するリング状のスペーサで中空フィルターシートの間隔を調整できる。
【００１０】
さらに、本発明の請求項６の濾過装置は、吸引パイプ３の両端部に挟着プレート７を有し、この挟着プレート７を連結具８で連結して、積層状態の中空フィルターシート１を挟着している。
この構造の濾過装置は、連結具で挟着プレートを連結する簡単な構造で、複数の中空フィルターシートを吸引パイプに連結し、さらに、中空フィルターシートの間をリング状パッキンで水密状態に密閉できる。
【発明を実施するための最良の形態】
【００１１】
以下、本発明の実施例を図面に基づいて説明する。ただし、以下に示す実施例は、本発明の技術思想を具体化するための濾過装置を例示するものであって、本発明は濾過装置を以下のものに特定しない。
【００１２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１３】
本発明の濾過装置の使用例を図２に示す。この図に示すように、本発明の濾過装置は、浄化水槽や汚濁水を蓄えている水槽５０に浸漬させて、水等の液体を濾過させて清澄な水を吸入して排出するのに適している。とくに、本発明の濾過装置は、濁りのある浄化水槽などの液中に浸漬されて、濁りのない清澄な水として排水するのに適している。
【００１４】
図２ないし図８に示す濾過装置は、２枚の濾材１１が積層されて外周縁を連結してなる複数枚の中空フィルターシート１と、複数枚の中空フィルターシート１を貫通して中空フィルターシート１の中空部１０に連結してなる吸引パイプ３とを備える。吸引パイプ３は、ポンプ９の吸入側に連結される。ポンプ９は、吸引パイプ３内の液体を吸入する。吸引パイプ３に吸入される液体は、中空フィルターシート１を透過して濾過される。すなわち、ポンプ９は、吸引パイプ３を介して、中空フィルターシート１の中空部１０を吸引して、中空フィルターシート１に外側から内側に液体を透過させて液体を濾過する。
【００１５】
中空フィルターシート１は、図８の要部拡大断面図と図９の斜視図に示すように、２枚の濾材１１の間に網材１２を挟着し、その外周縁を加熱して溶着し、あるいは接着剤で接着して、内部に中空部１０を設けている。網材１２は線材を縦横に交差するように編んだもので、線材の間に隙間を設けている。また、線材を交差するように編む構造によって、表面に凹凸を設けている。網材１２は、表面の凹凸で濾材１１を内面から支持して、２枚の濾材１１の間に隙間、すなわち中空部１０を設けている。この構造の中空フィルターシート１は、網材１２の厚さで中空部１０の内側間隔を特定する。中空部１０の内側間隔、すなわち網材１２の厚さは、濾材１１を透過して中空部１０に吸入された液体をスムーズに流すことができるように、たとえば約０．３ｍｍとする。ただし、中空部の内側間隔は、たとえば０．１ｍｍ〜５ｍｍ、好ましくは０．１ｍｍ〜３ｍｍ、さらに好ましくは０．２ｍｍ〜１ｍｍとすることができる。
【００１６】
中空フィルターシートは、図示しないが、網材に代わって表面に凹凸のあるプレートを挟着して、内部に中空部を設けることができる。また、２枚の濾材の間に、複数の線材を格子状に配列して、内部に中空部を設けることもできる。さらに、中空フィルターシートは、濾材自体を凹凸のある形状に成形して、内部に中空部を設けることもできる。したがって、本発明は、中空フィルターシートの内部に中空部を設ける構造を、内部に網材を配設する構造には特定しない。
【００１７】
中空フィルターシート１は、吸引パイプ３を挿通するために貫通孔２を開口している。中空フィルターシート１は、複数の貫通孔２、図にあっては６個の貫通孔２を設けている。貫通孔２は、吸引パイプ３を挿通するために設けられるので、その内形を吸引パイプ３の外形よりもわずかに大きく、たとえば吸引パイプ３の外径よりも０．１ｍｍ〜５ｍｍ大きな内径としている。内部に網材１２を挟着している中空フィルターシート１は、網材１２にも貫通孔２を設けて、吸引パイプ３を挿通できる構造としている。中空フィルターシート１の貫通孔２は、たとえば円筒状の刃物で切断して設けることができる。円筒状の刃物は、濾材１１と網材１２とを切断して貫通孔２を設けることができる。
【００１８】
吸引パイプ３は、塩化ビニル樹脂等の硬質のプラスチックで製造されたプラスチックパイプで、軸方向に伸びるスリット状の吸引穴４を貫通して設けている。ただ、吸引パイプは、塩化ビニル樹脂以外のプラスチックパイプとすることも、ステンレス等の金属パイプとすることもできる。吸引パイプ３は、所定の間隔で、複数の吸引穴４を平行な姿勢で全周に設けている。全周に設けられる複数の吸引穴４は、軸方向にずれるように設けられて、中空フィルターシート１を連結する位置がずれても、いずれかの吸引穴４に連結できるようにしている。
【００１９】
吸引パイプは、必ずしもスリット状の吸引穴を設ける必要はなく、たとえば、図１０に示すように、軸方向に離して複数の吸引穴４を貫通して設けることもできる。この吸引パイプ３も全周に複数の吸引穴４を設けて、中空フィルターシート１の連結位置がずれても、いずれかの吸引穴４に連結できるようにしている。すなわち、複数の吸引穴４は、軸方向に離して配設されるが、全周に設ける吸引穴４の位置を軸方向にずらせることによって、全ての位置に連結される中空フィルターシート１に連結できるようにしている。さらに、吸引パイプは、図１１と図１２に示すように、外周面に、軸方向に伸びる複数列の縦溝３５を平行に設けると共に、これらの縦溝３５の底に、軸方向に離して複数の吸引穴４を貫通して設けることもできる。この吸引パイプ３も、中空フィルターシート１の連結位置がずれても、軸方向に延びる縦溝３５の内部にできる隙間を介して、全ての中空フィルターシート１を吸引穴４に連結できる。
【００２０】
吸引パイプ３は、複数枚の中空フィルターシート１の貫通孔２に挿通されて、中空フィルターシート１に連結される。図の濾過装置は、６本の吸引パイプ３を平行に配設して、各々の吸引パイプ３を中空フィルターシート１の貫通孔２に挿通している。図の濾過装置は、６本の吸引パイプ３を中空フィルターシート１に挿通しているが、吸引パイプは、５本よりも少なく、また７本よりも多くすることもできる。
【００２１】
複数枚の中空フィルターシート１は、平行な姿勢で積層される状態で吸引パイプ３に連結される。中空フィルターシート１を離して配設するために、中空フィルターシート１の間にリング状パッキン５を設けている。リング状パッキン５は、吸引パイプ３に挿通されて、積層している中空フィルターシート１の間に挟着して固定される。このリング状パッキン５は、吸引パイプ３に挿通される内形であって、中空フィルターシート１の貫通孔２の内形よりも大きな外形としている。リング状パッキン５は、隣接する中空フィルターシート１に挟着されて、中空フィルターシート１と吸引パイプ３との隙間を水密構造に密閉する。さらに、このリング状パッキン５は、隣接する中空フィルターシート１の間に開口される吸引パイプ３の吸引穴４を水密状態に閉塞している。
【００２２】
図７と図８の濾過装置は、リング状パッキン５にＯリング１３を使用している。Ｏリング１３は中空フィルターシート１の表面に密着されて、中空フィルターシート１の側面を水密状態に密閉する。さらに、図７と図８の濾過装置は、隣接する中空フィルターシート１の間に複数のリング状パッキン５を設けて、リング状パッキン５の間にリング状のスペーサ６を挟着している。図に示すリング状のスペーサ６は樹脂製で、両側面には、Ｏリング１３のリング状パッキン５を密着している。ただ、リング状のスペーサは、金属リングとすることもできる。リング状のスペーサ６は、所定の厚さの円盤状で、内径を吸引パイプ３の外径にほぼ等しくして、外径をＯリング１３の外径にほぼ等しくして、両側の平面にＯリング１３からなるリング状パッキン５を密着している。一対のリング状パッキン５の間にリング状のスペーサ６を挟着する構造は、リング状パッキン５をリング状のスペーサ６の両面に密着して、より確実に水密状態に密閉できる。また、リング状のスペーサ６の厚さで、隣接する中空フィルターシート１の間隔も調整できる。すなわち、断面を円形とするＯリング１３を細くしながら、中空フィルターシート１の間隔をリング状のスペーサ６で最適値に調整できる。
【００２３】
図７と図８の濾過装置は、リング状パッキン５にＯリング１３を使用するが、リング状パッキンは、必ずしもＯリングとする必要はなく、吸引パイプに挿通する状態で、隣接する中空フィルターシートの間に配設されて、中空フィルターシートの側面を水密に密閉できる他の全ての部材が使用できる。図１３の濾過装置は、リング状パッキン５として、図１４に示す筒状リング２５を使用している。筒状リング２５であるリング状パッキン５は、例えば、ゴムやシリコン等を所定の厚さの筒状に成形したものを、所定の長さにカットして製造される。この筒状リング２５は、両端面を中空フィルターシート１の側面に密着させて水密状態に密閉する。筒状リング２５であるリング状パッキン５は、隣接する中空フィルターシート１の間隔が最適な間隔となるように、その長さを特定している。このように、リング状パッキン５を筒状リング２５とする構造は、複数枚の中空フィルターシート１を、簡単かつ容易に、平行な姿勢で積層しながら、最適な間隔に配置できる。
【００２４】
互いに積層される中空フィルターシート１の間隔は、狭くして多数の中空フィルターシート１を吸引パイプ３に挿通できる。ただ、中空フィルターシート１の間隔が狭すぎると、隣接する中空フィルターシート１の表面が接触して、全面で液体を濾過できなくなる。したがって、中空フィルターシート１の間隔は、吸引パイプ３から吸引して、隣接する中空フィルターシート１が密着しない間隔、たとえば５ｍｍ〜１０ｍｍに設定される。ただ、中空フィルターシートの間隔は、中空フィルターシートの厚さや可撓性によって最適値が異なる。
【００２５】
図３及び図５ないし図７の濾過装置は、吸引パイプ３の両端部に挟着プレート７を設け、この挟着プレート７を連結具８で連結して、積層状態の中空フィルターシート１を挟着状態に固定している。図の濾過装置は、挟着プレート７を外装ケース３０に併用している。一対の挟着プレート７は、中空フィルターシート１よりも大きな四角形のプレートで、両側部には上下に離して複数の連結穴１４を貫通して設けている。図の挟着プレート７は、両側に各々３個の連結穴１４を設けている。図の濾過装置は、挟着プレート７を、塩化ビニル樹脂等の硬質のプラスチックで製造している。ただ、挟着プレートは、金属プレートとすることもできる。
【００２６】
図５ないし図７の断面図に示す濾過装置は、一方の挟着プレート７の内面に、吸引パイプ３の一端を挿入して連結する位置決め凹部１５を設けて、他方の挟着プレート７には吸引パイプ３を挿通する挿入穴１６を貫通するように設けている。位置決め凹部１５に挿入される吸引パイプ３の先端は、外径を細くするように段差を設けて、細く突出する突出部３Ａを位置決め凹部１５の内径にほぼ等しくして、ここに挿入して定位置に連結している。さらに、図５ないし図８の吸引パイプ３は、挿入穴１６から外部に突出する先端を閉塞部３６で閉塞している。さらに、吸引パイプ３が連結される一方の挟着プレート７は、位置決め凹部１５の中心に位置して、吸引パイプ３に連通する吸引穴１７を開口している。濾過装置は、挟着プレート７の吸引穴１７に連結パイプ１８を連結すると共に、この連結パイプ１８に延長パイプ１９を連結しており、この連結パイプ１８と延長パイプ１９を介して、吸引パイプ３をポンプ９に連結している。図の連結パイプ１８は、挟着プレート７の両側に固定される各３本の吸引パイプ３を連結する２本の分岐パイプ部１８Ａと、２本の分岐パイプ部１８Ａを連結する連結部１８Ｂとを備えている。連結パイプ１８は、連結部１８Ｂを延長パイプ１９に連結している。この構造は、連結パイプ１８を介して連結される６本の吸引パイプ３内の液体を、ポンプ９で一緒に吸入できる。
【００２７】
一対の挟着プレート７は、両側を連結具８で連結する状態で、リング状パッキン５を介して積層される中空フィルターシート１を挟着して互いに密着させる。したがって、一対の挟着プレート７の中央部には、挟着されるリング状パッキン５の反作用で、連結具８による締め付け方向と逆向きの力が作用する。図の濾過装置は、一対の挟着プレート７の外側に補強プレート２６を配設して、プラスチックプレートである挟着プレート７が連結具８の挟着力で変形するのを阻止している。この補強プレート２６は金属プレートである。一方の挟着プレート７であって、吸引パイプ３の先端部を突出させる挟着プレート７の表面に配設される補強プレート２６は、両端部に、連結具８を挿通する連結穴２７を貫通して設けると共に、中間部には、吸引パイプ３を挿通する２個の挿入穴２８を貫通して設けている。この補強プレート２６は、中間の挿入穴２８に吸引パイプ３の先端部を挿通して突出させる状態で挟着プレート７の表面に積層されて、連結具８で連結される。他方の挟着プレート７であって、連結パイプ１８を連結する挟着プレート７の表面に配設される補強プレート２６は、両端部に、連結具８を挿通する連結穴２７を貫通して設けると共に、中間部には、連結パイプ１８を挿通する２個の挿入穴２９を貫通して設けている。この補強プレート２６は、中間の挿入穴２９に連結パイプ１８を挿通して連結する状態で挟着プレート７の表面に積層されて、連結具８で連結される。このように、一対の挟着プレート７の外側に補強プレート２６を配設して、補強プレート２６を介して一対の挟着プレート７を連結具８で連結して挟着する構造は、挟着プレート７の変形を阻止しながら、積層状態の中空フィルターシート１を確実に挟着状態に固定できる。
【００２８】
連結具８は、ボルト２０とナット２１からなる。ボルト２０は、両端の雄ネジ部２０Ａを中間部よりも細くしており、雄ネジ部２０Ａを挟着プレート７の連結穴１４と補強プレート２６の連結穴２７に貫通させて外部に突出させている。補強プレート２６の外側において、雄ネジ部２０Ａにナット２１をねじ込んで、一対の挟着プレート７を所定の間隔に固定している。
【００２９】
以上の濾過装置は、一対の挟着プレート７の両側部を連結具８で連結して、リング状パッキン５を介して積層される中空フィルターシート１を一対の挟着プレート７で挟着している。さらに、一対の挟着プレート７の外側に補強プレート２６を配設すると共に、この補強プレート２６を連結具８で連結して、プラスチックプレートである挟着プレート７の変形を阻止している。ただ、濾過装置は、必ずしも一対の挟着プレートの両側部を連結具で連結する必要はない。また、濾過装置は、一対の挟着プレートの外側に補強プレートを配設することなく、プラスチックプレートである挟着プレートの変形を阻止することもできる。図１５ないし図１７は、挟着プレート７の外側に補強プレートを配設することなく、一対の挟着プレート７を吸引パイプ３の挿通部分において連結する濾過装置を示している。
【００３０】
図１５と図１６に示す濾過装置は、吸引パイプ３の中心に、軸方向に連結具８を貫通させて、この連結具８を介して吸引パイプ３の両端部に挟着プレート７を連結している。図１５と図１６の吸引パイプ３は、一方の開口端を図において左側の挟着プレート７の位置決め凹部１５に固定すると共に、他方の先端部を図において右側の挟着プレート７の挿入穴１６に挿通し、この挿通穴１６から突出する先端部に設けた閉塞部３６に、連結具８を貫通させる貫通穴３６Ａを設けている。図の連結具８は、吸引パイプ３を軸方向に貫通するボルト２０と、このボルト２０の先端に連結されて、一方（図において右側）の挟着プレート７の外側面を押圧する支持部材３７と、ボルト２０の先端にねじ込まれて、支持部材３７を固定するナット２１とからなる。ボルト２０は、一端にボルト頭２０Ｂを設けて、他端部にナット２１をねじ込む雄ネジ部２０Ａを設けている。支持部材３７は、円形のプレート部３７Ａと、このプレート部３７Ａの周囲に沿う周壁３７Ｂを有する形状として、吸引パイプ３の先端部を案内する凹部３７Ｃを設けている。プレート部３７Ａは、中心にボルト２０を貫通させる連結穴３７ａを開口している。この支持部材３７は、一方（図において右側）の挟着プレート７の外側に配設されて、吸引パイプ３の先端部を凹部３７Ｃに案内し、周壁３７Ｂの端面を挿通穴１６の周縁部に当接させる状態で、プレート部３７Ａを貫通するボルト２０と、ボルト２０の先端部にねじ込まれるナット２１を介して挟着プレート７の外側に固定される。
【００３１】
図１５と図１６の濾過装置は、図において左側の挟着プレート７の連結穴１４から吸引パイプ３の内部にボルト２０を挿通し、このボルト２０を吸引パイプ３の閉塞部３６の貫通穴３６Ａと支持部材３７の連結穴３７ａに貫通させて、支持部材３７から外部に突出する先端にナット２１をねじ込んでいる。この連結具８は、ボルト２０にナット２１を締め付ける状態において、ボルト頭２０Ｂで一方の挟着プレート７を、支持部材３７で他方の挟着プレート７を押圧して、一対の挟着プレート７を両側から挟着している。とくに、支持部材３７は、周壁３７Ｂの端面で、挿入穴１６の周縁部を押圧するので、この挟着プレート７の内側面において、挿入穴１６の周縁部に配設されるリング状パッキン５を押圧して、リング状パッキン５を介して積層される中空フィルターシート１を一対の挟着プレート７で理想的に挟着できる。さらに、図に示す連結具８は、吸引パイプ３の先端面と支持部材３７の内面との間に隙間４３を設ける状態として、一対の挟着プレート７を挟着している。この構造は、ボルト２０の雄ネジ部２０Ａにねじ込まれるナット２１のねじ込み量によって、一対の挟着プレート７の挟着力を調整できる。ナット２１のねじ込み量は、一対の挟着プレート７が、間に配設されるリング状パッキン５と中空フィルターシート１とを、所定の押圧力で挟着できる挟着力となるように調整する。ただ、濾過装置は、必ずしも吸引パイプの先端面と支持部材との間に隙間を設ける必要はなく、支持部材を吸引パイプの先端面に密着する状態で連結することもできる。この構造は、支持部材の内面を吸引パイプの先端面に当接させることで、支持部材の挟着位置を特定して、一対の挟着プレートの間隔を所定の間隔とすることができる。この構造は、組み立てを簡単にして、効率よく多量生産できる。
【００３２】
さらに、図１５と図１６の濾過装置は、吸引パイプ３の内部をポンプで吸引するために、吸引パイプ３の内部を連結パイプ１８に連結している。図１５の濾過装置は、図において左側の挟着プレート７に吸引穴１７を開口して、この吸引穴１７に連結パイプ１８を連結している。この吸引穴１７は、ボルト２０を挿通する連結穴１４に隣接して開口している。また、図１６の濾過装置は、挟着プレート７に吸引穴を設けることなく、ボルト２０に吸引穴１７を設けている。図のボルト２０は、ネジ頭２０Ｂに、軸方向に延びる軸孔４０を穿孔すると共に、吸引パイプ３の内部において、軸孔４０から両側に延びる横孔４１を穿孔して、吸引パイプ３の内部をボルト２０の外部に連通する吸引穴１７としている。
【００３３】
さらに、図１５と図１６の濾過装置は、吸引パイプ３内の液体をポンプで吸入して、中空フィルターシート１に通過させるために、連結具８を吸引パイプ３に水密に連結している。図１５と図１６において左側の挟着プレート７の連結穴１４は、外側の開口縁をテーパー面としており、このテーパー面にＯリング４２を配設して、連結穴１４に挿通されるボルト２０のボルト頭２０Ｂと連結穴１４との間を水密にシールしている。さらに、ボルト２０の先端部が貫通する支持部材３７の外側面において、ナット２１と支持部材３７の間にシールワッシャ４４を挿通して、支持部材３７の連結穴３７ａとナット２１の間を水密にシールしている。さらに、図に示す支持部材３７は、周壁部３７Ｂの端面にもＯリング４５を配設して、挟着プレート７との境界を水密にシールしている。これにより、ロッド２０が貫通している吸引パイプ３の先端部は、支持部材３７の連結穴３７ａがシールワッシャ４４でシールされ、支持部材３７の周壁部３７Ｂと挟着プレート７との境界がＯリング４５でシールされ、さらに、挟着プレート７の挿入穴１６と吸引パイプ３との隙間がＯリング１３でシールされて、水密に保持される。
【００３４】
さらに、図１７に示す濾過装置は、一対の挟着プレートをボルトとナットで挟着することなく、吸引パイプ３の両端に一対の挟着プレート７を連結している。すなわち、この濾過装置は、吸引パイプ３を、一対の挟着プレート７を連結する連結具８に併用している。図１７に示す吸引パイプ３は、一方の開口端を、図において左側の挟着プレート７の位置決め凹部１５に固定すると共に、他方の先端部を、図において右側の挟着プレート７の挿入穴１６から外部に突出させており、この先端部に連結される支持部材３７を介して右側の挟着プレート７に連結している。この吸引パイプ３は、先端部に設けた閉塞部３６の先端面に、支持部材３７を連結する止ネジ３８をねじ込む雌ネジ孔３６Ｂを設けている。支持部材３７は、円形のプレート状で、中心に止ネジ３８を挿入する連結穴３７ａを開口している。さらに、支持部材３７は、その外径を閉塞部３６の外径よりも大きくして、外周部と挟着プレート７との間に、挿入穴１６の周縁部を押圧する閉塞リング３９を配置している。図に示す閉塞リング３９は、支持部材３７と別部材としているが、閉塞リングは支持部材に一体的に成形することもできる。
【００３５】
図１７の濾過装置は、吸引パイプ３の閉塞部３６に支持部材３７を貫通する止ネジ３８をねじ込んで支持部材３７を固定し、吸引パイプ３に固定される支持部材３７を介して閉塞リング３９で挟着プレート７を押圧して、一対の挟着プレート７を所定の間隔に固定している。したがって、閉塞リング３９の厚さは、一対の挟着プレート７の間隔が、リング状パッキン５を介して積層される中空フィルターシート１を密着状態で挟着できる間隔となるように、所定の厚さに設計される。この構造は、閉塞リング３９を硬質部材で成形することにより、一対の挟着プレート７を、常に所定の間隔となるように連結することができる。ただ、閉塞リングは、ゴム状弾性体やコイルスプリング等の弾性変形できる部材で成形して、挟着プレートを弾性的に押圧することもできる。この構造は、一対の挟着プレートの間に配設されるリング状パッキンと中空フィルターシートとを、所定の押圧力で挟着できる。
【００３６】
吸引パイプ３は、複数枚の中空フィルターシート１に挿通している。さらに、各々の中空フィルターシート１の間には、リング状パッキン５と、リング状のスペーサ６と、リング状パッキン５とを積層して配設している。さらに、図７の断面図に示す濾過装置は、最も外側に配設している中空フィルターシート１の外側にも、リング状パッキン５とリング状のスペーサ６とを積層して配設している。図７において、吸引パイプ３の最も右側に配設している中空フィルターシート１の外側には、リング状パッキン５とリング状のスペーサ６とリング状パッキン５とを積層している。また、図７において、吸引パイプ３の最も左側に配設している中空フィルターシート１の外側には、リング状パッキン５とリング状のスペーサ６とリング状パッキン５とを積層している。これにより、一対の挟着プレート７の内面を水密に密閉している。また、図１３に示す濾過装置は、各々の中空フィルターシート１の間に、リング状のスペーサを配設することなく、筒状リング２５であるリング状パッキン５を配設している。この濾過装置も、最も外側に配設している中空フィルターシート１の外側に、筒状リング２５であるリング状パッキン５を配設して一対の挟着プレート７の内面を水密に密閉している。
【００３７】
さらに、図３、図４、及び図６に示す濾過装置は、一対の挟着プレート７の両側に側面プレート３１を連結して、挟着プレート７と側面プレート３１とで、上下を開口する外装ケース３０としている。挟着プレート７の下縁には、外装ケース３０を水槽５０の底に設置して隙間３４ができるように、切欠部３２を設けている。さらに、側面プレート３１の下端には、支持脚３３を連結している。図の支持脚３３は、水平方向に延びる金属プレートで、挟着プレート７の両側に位置して、側面プレート３１に固定している。この支持脚２２は、濾過装置を倒れないように起立姿勢に保持する。
【００３８】
さらに、外装ケース３０の底部には、挟着プレート７と平行に気泡を噴射する気泡パイプ２２を連結している。気泡パイプ２２は、無数の微細な孔２２ａを開口しており、加圧された空気が供給されると孔２２ａから空気を排出して、微細な気泡を液中にバブリングする。したがって、気泡パイプ２２は、図２に示すように、供給パイプ２３を介して空気供給源２４に連結している。この構造はバブリングされる気泡によって、中空フィルターシート１の表面に付着する異物を除去できる。
【図面の簡単な説明】
【００３９】
【図１】従来の濾過装置の使用状態を示す概略断面図である。
【図２】本発明の一実施例にかかる濾過装置の使用状態を示す概略断面図である。
【図３】本発明の一実施例にかかる濾過装置の斜視図である。
【図４】図３に示す濾過装置のＡ−Ａ線断面図である。
【図５】図３に示す濾過装置のＢ−Ｂ線断面図である。
【図６】図３に示す濾過装置のＣ−Ｃ線断面図である。
【図７】図６に示す濾過装置の拡大断面図である。
【図８】図７に示す濾過装置の要部拡大断面図である。
【図９】中空フィルターシートの構造を示す斜視図である。
【図１０】吸引パイプの他の一例を示す斜視図である。
【図１１】吸引パイプの他の一例を示す斜視図である。
【図１２】図１１に示す吸引パイプの横断面図である。
【図１３】本発明の他の実施例にかかる濾過装置の要部拡大断面図である。
【図１４】図１３に示す濾過装置のリング状パッキンを示す斜視図である。
【図１５】本発明の他の実施例にかかる濾過装置の拡大断面図である。
【図１６】本発明の他の実施例にかかる濾過装置の拡大断面図である。
【図１７】本発明の他の実施例にかかる濾過装置の拡大断面図である。
【符号の説明】
【００４０】
１…中空フィルターシート
２…貫通孔
３…吸引パイプ                  ３Ａ…突出部
４…吸引穴
５…リング状パッキン
６…スペーサ
７…挟着プレート
８…連結具
９…ポンプ
１０…中空部
１１…濾材
１２…網材
１３…Ｏリング
１４…連結穴
１５…位置決め凹部
１６…挿入穴
１７…吸引穴
１８…連結パイプ                １８Ａ…分岐パイプ部
１８Ｂ…連結部
１９…延長パイプ
２０…ボルト                    ２０Ａ…雄ネジ部
２０Ｂ…ボルト頭
２１…ナット
２２…気泡パイプ                ２２ａ…孔
２３…供給パイプ
２４…空気供給源
２５…筒状リング
２６…補強プレート
２７…連結穴
２８…挿入穴
２９…挿入穴
３０…外装ケース
３１…側面プレート
３２…切欠部
３３…支持脚
３４…隙間
３５…縦溝
３６…閉塞部                    ３６Ａ…貫通穴
３６Ｂ…雌ネジ孔
３７…支持部材                  ３７Ａ…プレート部
３７Ｂ…周壁部
３７Ｃ…凹部
３７ａ…連結穴
３８…止ネジ
３９…閉塞リング
４０…軸孔
４１…横孔
４２…Ｏリング
４３…隙間
４４…シールワッシャ
４５…Ｏリング
５０…水槽
９１…中空フィルターシート
９２…貫通孔
９３…吸引パイプ
９４…連結パイプ                ９４Ａ…細筒部
９４Ｂ…段差面
【図１】
2010029818.tif 000003
【図２】
2010029818.tif 000004
【図３】
2010029818.tif 000005
【図４】
2010029818.tif 000006
【図５】
2010029818.tif 000007
【図６】
2010029818.tif 000008
【図７】
2010029818.tif 000009
【図８】
2010029818.tif 000010
【図９】
2010029818.tif 000011
【図１０】
2010029818.tif 000012
【図１１】
2010029818.tif 000013
【図１２】
2010029818.tif 000014
【図１３】
2010029818.tif 000015
【図１４】
2010029818.tif 000016
【図１５】
2010029818.tif 000017
【図１６】
2010029818.tif 000018
【図１７】
2010029818.tif 000019